(57)【要約】      （修正有）【課題】台所床面の厨房設備近傍に敷いた際に厨房設備との間に隙間なく敷くことができ、油滴等の飛散物による汚れ等から該床面を効果的に保護することができ、使用中の周縁の反り返りによる躓き等のトラブルを抑制することができるキッチンマットを提供する。【解決手段】床面に敷いて該床面への汚れの付着を防止するためのキッチンマット１であって、平面形状が概略長方形であり、４つのコーナー部のうち、一方の長辺と隣り合う２つのコーナー部Ａ、Ｂが丸みを帯びた曲線形状からなり、他方の長辺の隣り合う２つのコーナー部Ｃ、Ｄは８０〜１００°の角度とする。コーナー部Ａ、Ｂの曲線形状は、曲率半径ｒが１２０〜２５０ｍｍの円弧状であり、裏面層２、発泡層３、印刷層４、表面層５をこの順に積層した層構成からなり、裏面層２の、発泡層３と対峙する面とは反対側の表面に粘着層７が設けられており、周縁部にはエッジ加工６が施される。【選択図】図１
0003191205.tif 000002
【実用新案登録請求の範囲】
【請求項１】
少なくとも裏面層、発泡層、印刷層、及び表面層を積層してなる合成樹脂製のキッチンマットであり、
平面形状が概略長方形であり、４つのコーナー部のうち、一方の長辺に隣り合う２つのコーナー部が丸みを帯びた曲線形状からなり、他方の長辺と隣り合う２つのコーナー部が８０〜１００°の角度を有することを特徴とするキッチンマット。
【請求項２】
周縁部にエッジ加工が施され、
前記裏面層の発泡層とは反対側の表面に、粘着層が形成されていることを特徴とする請求項１に記載のキッチンマット。
【請求項３】
前記曲線形状は、曲率半径（ｒ）が１２０〜２５０ｍｍの円弧状であることを特徴とする請求項１又は２に記載のキッチンマット。
【考案の詳細な説明】
【技術分野】
【０００１】
本考案は、家庭用のキッチンマットに関し、特に調理器具や厨房設備等が設置されている台所の床面に載置した際に、これらの器具や設備等との間に隙間を生じることなく載置することができるばかりでなく、長期間の使用における載置位置のズレや周縁部の反り返り等の不具合が生じ難いキッチンマットに関する。
【背景技術】
【０００２】
キッチンマットは、システムキッチン等の厨房設備等が設置されている台所の床面に敷いて、調理作業中に飛散する油滴や水滴、その他の調味料や食材等による汚れ等から床面を保護するために用いられ、その素材としては、基布の表面にパイルを植毛した織物系のものや、ポリ塩化ビニル系樹脂、ポリエステル系樹脂等の合成樹脂系のものが用いられている。
【０００３】
これら従来のキッチンマットは、その平面形状がほぼ長方形であって、四隅のコーナー部がほぼ直角のもの（特許文献１）と、平面形状はほぼ長方形であるが、コーナー部が円弧状に丸みを帯びたもの（特許文献２）、平面形状が楕円形のもの等が一般的である。
【０００４】
ところで、特許文献１のようなタイプのマットでは、これを台所の床面に敷いて長期間使用しているうちに、コーナー部が徐々に反り返ってきて、台所歩行者の足がそのコーナー部に引っかかって躓き易くなってくるという弊害がある。また、このようなタイプのマットが複数層から構成される場合には、層間の剥がれ防止や見栄えの良さのため、該マットの周縁にエッジ加工としてテープロック加工やオーバーロック加工が施される場合があるが、素材が合成樹脂系であるマットではこのようなエッジ加工を施すことによってこの周縁部、特に四隅のコーナー部が反り返り易くなるという弊害もある。
【０００５】
一方、特許文献２のようなタイプのマットでは、例えば、図３の平面図に示すように、キッチンマット１１の一辺を厨房設備１８に接触させて敷いても、キッチンマット１１の丸みを帯びたコーナー部と厨房設備１８との間には必然的に空隙部Ｙが生じ、この空隙部Ｙの部分に飛び散った油滴等の汚れが付着したり食材屑や埃等が溜まり易く、床面の汚れ防止が十分でない。
もちろん、平面形状が楕円形のものも、これと同様の問題があり、その改善が望まれている。
【先行技術文献】
【特許文献】
【０００６】
【特許文献１】特開平１１−２６６９９５号公報公報
【特許文献２】特開２０００−７０１０９号公報
【考案の概要】
【考案が解決しようとする課題】
【０００７】
本考案の課題は、台所床面の厨房設備近傍に敷いた際に、厨房設備との間に隙間なく敷くことができ、油滴等の飛散物による汚れ等から床面をより効果的に保護することができると共に、使用中における周縁部の反り返りによる台所近辺における歩行者の躓き等のトラブルをも効果的に抑制することができるキッチンマットを提供することにある。
【課題を解決するための手段】
【０００８】
本考案のキチンマットは、合成樹脂製であって、（１）少なくとも裏面層、発泡層、印刷層、及び表面層を積層してなるキッチンマットであり、平面形状が概略長方形であり、４つのコーナー部のうち、一方の長辺に隣り合う２つのコーナー部が丸みを帯びた曲線形状からなり、他方の長辺と隣り合う２つのコーナー部が８０〜１００°の角度を有することを特徴とする。
また本考案のキチンマットは、（２）周縁部にエッジ加工が施され、前記裏面層の、発泡層とは反対側の表面に粘着層が積層されていてもよく、（３）前記曲線形状は、曲率半径（ｒ）が１２０〜２５０ｍｍの円弧状であってもよい。
【考案の効果】
【０００９】
本考案のキッチンマットは上記構成からなり、使用に際して例えば厨房設備のある台所の床面に、両端に８０〜１００°の角度のコーナー部を有する側の長辺が該厨房設備と接するように載置することによって、両端に８０〜１００°の角度のコーナー部を有するキチンマットの長辺と該厨房設備との間に隙間を生じることがないため、厨房設備使用中に飛散する油滴や水滴、あるいは食材の切片等による床面の汚れや傷付きを極めて高効率で抑制することができる。
【００１０】
また、特に反り返り難い丸みを帯びた曲線形状のコーナー部を両端に有する側の長辺を、上記の厨房設備と反対側の、すなわち歩行者が往来する側に向けて載置することにより、長期間使用してもキッチンマット周縁部が次第に反り返ることはなくなり、結果として歩行者が躓くことがなく安全に利用することができる。
【図面の簡単な説明】
【００１１】
【図１】図１は本考案のキッチンマットの一例を示す説明図であり、（ア）が平面図、（イ）が（ア）のＸ−Ｘ線断面図である。
【図２】本考案のキッチンマットの使用状態の一例を示す斜視図である。
【図３】従来のキッチンマットの使用状態の一例を示す平面図である。
【考案を実施するための形態】
【００１２】
図１（ア）に示すように、本考案のキッチンマット１は、長辺Ｌ１、Ｌ２と短辺Ｓ１、Ｓ２で囲まれた全体的に見てほぼ長方形の平面形状を有し、４つのコーナー部Ａ、Ｂ、Ｃ、Ｄのうちの、一方の長辺Ｌ１を挟んで隣り合う２つのコーナー部Ａ、Ｂが丸みを帯びた曲線形状、本例では円弧状を呈し、他方の長辺Ｌ２を挟んで隣り合う２つのコーナー部Ｃ、Ｄが８０〜１００°の角度（本例では、ほぼ９０°）を呈する。
【００１３】
図１（ア）のＸ−Ｘ線断面図である同図（イ）に示すように、本例では、粘着層７と、裏面層２と、発泡層３と、印刷層４と、表面層５とを、この順に積層したものである。
【００１４】
また、本考案のキッチンマットは、上記の各層の剥がれ防止や、周縁でのほつれ防止のために、周縁にエッジ加工を施してもよく、図１（イ）の例では、縁取りテープ６によりエッジ加工を施している。この縁取りテープ６は、例えば繊維製のテープであり、本例では該テープ６を接着剤や糸で、キッチンマット１の周縁及びその近傍に固定する、いわゆるテープロック法によるエッジ加工を行っている。前記以外のエッジ加工としては、上記の周縁及びその近傍を含む端部をオーバーロックミシン等で二重縫い（オーバーロック加工）する等の公知のエッジ加工法を採用してもよい。
【００１５】
一般に、キッチンマットの四隅のコーナー部は、長期間の使用によって反り返りが起こり易く、また、周縁にエッジ加工が施されている場合、エッジ加工による周縁部と内側間に歪みが生じ、より反り返り現象が起こり易い。更に、滑り防止を目的として裏面層２における発泡層３とは反対側の表面へ粘着層７を形成した場合、使用時において床面に対し密着性が上がるため、前記エッジ加工により生じた歪みの逃げ場がなくなり、四隅のコーナー部における反り返り現象はより顕著に発生する。これに対し、コーナー部Ａ、Ｂのように丸みを帯びた曲線状を呈する場合には、エッジ加工や粘着層を設けていても周縁の反り返りは起こり難くなる。
【００１６】
本考案のキッチンマット１において、コーナー部での反り返りを抑制するためには、コーナー部Ａ、Ｂは、その曲率半径（ｒ）が１２０〜２５０ｍｍ、より好ましくは１６０〜２００ｍｍの、丸みを帯びた円弧状とすることが適している。曲率半径（ｒ）を１２０ｍｍあるいはそれよりも大きくすると、テープロック加工等のエッジ加工及び裏面層２の発泡層３とは反対側の表面に粘着層７を積層した場合であっても反り返り現象を効果的に抑制することができ、該効果は曲線半径（ｒ）を１６０ｍｍ以上とすることでより良好となる。また一般に実用されている平面が長方形状のキッチンマットではその長辺Ｌ１、Ｌ２の長さは（横幅）はほぼ６００ｍｍ以下なので、曲率半径（ｒ）を２５０ｍｍあるいはそれよりも小さくすることで、キッチンマットの平面形状が半円形や半楕円形状となることはなく、略長方形状を維持し、床面の保護領域を広く保持することができ、該効果は曲率半径（ｒ）を２００ｍｍ以下とするとより好ましい。
【００１７】
上記裏面層２は、ガラス繊維、合成繊維、天然繊維、これらの混合繊維からなる織布、不織布、編布等、従来一般にキッチンマットの裏面材として使用されている高強度で滑り難い素材が使用される。
このような裏面層２上に積層される発泡層３は、塩化ビニル系樹脂、ポリカーボネート系樹脂、ポリエステル系樹脂等の合成樹脂製発泡体が使用され、ケミカル発泡等公知の発泡方法で得られるものを使用することができる。
次に、該発泡層３上に積層される印刷層４は、例えば、上記発泡層３の表面上、または下記で示す表面層５の裏面に、インクジェットプリント、グラビアプリント、スクリーンプリント、オフセットプリント、フレキソプリントなどの一般的なプリント方法を用いて形成することができる。このとき使用されるインクは、酢酸ビニル系、アクリル系、ウレタン系など一般に使用される極性のあるインクを用いればよいが、印刷層４を形成させる層に対して接着性を有するインクであることが好ましい。
上記印刷層４上に積層される表面層５は、透明または半透明であって油分や水分等をはじく素材であることが好ましく、例えば塩化ビニル系樹脂、ポリカーボネート系樹脂、ポリエステル系樹脂、その他従来からキッチンマットの表面層として使用されている素材が好ましく使用される。なお、表面層５は、エンボス加工を施したものを使用してもよいし、上記各層２，３，４，５を積層後、これらの層の上下に渡ってエンボス加工を施してもよい。
また、本考案では、上記の裏面層２の外側面、すなわち発泡層３とは反対側の表面であり、且つ床面に接触する側の表面に粘着層７を形成してもよく、該粘着層７の形成方法としては、アクリル系粘着剤やゴム系粘着剤等から形成される粘着層を積層させる方法や、前記粘着剤を裏面層２に含浸させ、裏面層２の表面に粘着性を付与させる方法等が挙げられる。
【００１８】
このような構成からなるキッチンマット１の使用に際しては、例えば、図２に示すように、その両端が８０〜１００°の角度のコーナー部Ｃ、Ｄがある側の長辺Ｌ２と厨房設備８とが台所床面上において接するような位置関係となるように載置する。
このようにして使用することで、キッチンマット１上で調理等の作業をしても、キッチンマット１上を含め台所の床面を歩行しても、キッチンマット１が位置ズレすることはなく、また作業中や歩行中に人の足が接触する頻度の高いコーナー部Ａ、Ｂの部分における周縁の反り返りがないため、歩行者が躓くこともない。
【００１９】
さらに、コーナー部Ｃ、Ｄが８０〜１００°の角度であり、厨房設備８とキッチンマット１との間に空隙部（図３に示すＹ）が生じず、厨房設備８直近の床面に油適、その他の汚れが飛散して付着したり、食材の切片や塵等が溜ることもない。なお、前記角度を大きくしすぎると、図３に示す従来のキッチンマット１１と同様に空隙部Ｙが発生する虞があるためコーナー部Ｃ、Ｄの前記角度は最大１００°である。
【産業上の利用可能性】
【００２０】
本考案のキッチンマットは、使用中における周縁部の反り返りや位置ズレ、ほつれ等の不具合が発生し難く、これらの不具合による歩行者の躓き等の事故を未然に防ぐことができる。
また、本考案のキッチンマットは、その周縁と厨房設備等との間に隙間が発生することがなく、厨房設備等の設置されている床面を、水滴や油滴、食材の切片等による汚れや傷付きから、極めて効果的に保護することができる。
このように、本考案のキッチンマットは、厨房設備のある台所や洗面台等水回り設備が設置されている床面用の敷き物として有効に使用することができる。
【符号の説明】
【００２１】
１、１１    キッチンマット
２    裏面層
３    発泡層
４    印刷層
５    表面層
６    縁取りテープ
７    粘着層
８、１８    厨房設備
Ａ、Ｂ、Ｃ、Ｄ    コーナー部
Ｌ１、Ｌ２    長辺部
Ｓ１、Ｓ２    短辺部
Ｓ１、Ｓ２    短辺部
Ｙ    空隙部
【図１】
0003191205.tif 000003
【図２】
0003191205.tif 000004
【図３】
0003191205.tif 000005
【手続補正書】
【提出日】平成26年4月3日(2014.4.3)
【手続補正１】
【補正対象書類名】明細書
【補正対象項目名】０００６
【補正方法】変更
【補正の内容】
【０００６】
【特許文献１】特開平１１−２６６９９５号公報
【特許文献２】特開２０００−７０１０９号公報